(57)【特許請求の範囲】
【請求項１】
複数の帯状の絶縁導体と、
前記絶縁導体を水密に収納するハウジングと
前記ハウジング内の空間を複数個の空間に水密に分離する複数の分離部材とを備えたバスダクト。
【請求項２】
前記分離部材は、前記ハウジングと前記絶縁導体との間に形成される空間、および、前記複数の絶縁導体の相互の間に形成される空間を、複数の空間に分離する、請求項１に記載のバスダクト。
【請求項３】
前記絶縁導体は、電気導体と、
前記電気導体の周面に設けられ、他の前記電気導体と電気的に分離するための絶縁体と、
を備えたことを特徴とする、請求項１に記載のバスダクト。
【請求項４】
前記分離部材は、タール、パテ、吸水性不織布、または、常温硬化樹脂によって形成されている、請求項１から３の何れか1項に記載のバスダクト。
【請求項５】
前記分離部材が等間隔で配置されている、請求項１から４の何れか1項に記載のバスダクト。
【請求項６】
前記分離部材が不等間隔で配置されている、請求項１から４の何れか1項に記載のバスダクト。
【請求項７】
前記分離部材が同一部材からなっている、請求項１から６の何れか1項に記載のバスダクト。
【請求項８】
前記分離部材が異なる種類の材料からなる部材または寸法の異なる同一材料の部材からなっている、請求項１から６の何れか１項に記載のバスダクト。
【請求項９】
複数の帯状の絶縁導体と、
前記絶縁導体を水密に収納するハウジングと
前記ハウジング内の空間を複数個の空間に水密に分離する複数の分離部材とを備えたバスダクトを複数個接続配置したバスダクトシステム。
【請求項１０】
前記バスダクトが曲がり部を備えたバスダクトおよび曲がり部を備えていないストレートバスダクトの組み合わせによって形成されている、請求項５または６に記載のバスダクトシステム。
【発明の詳細な説明】
【技術分野】
【０００１】
本発明は、内部に電気導体を収納したバスダクトに係り、特に浸水対策に優れたバスダクトに関する。
【背景技術】
【０００２】
一般にバスダクトとは、電気導体の周囲を絶縁材で覆って構成した絶縁導体をハウジングの内部に複数収納保持するものである。このバスダクトは、複数のケーブルを束ねて配線する配線システムと比較して、火災などの発生防止や漏洩磁束防止などに極めて優れた機能を有することから、工場施設やビルの主電力供給ラインなどに広く用いられている（例えば、特許文献１参照）。
【特許文献１】特開２００２−２８１６４８号公報
【発明の開示】
【発明が解決しようとする課題】
【０００３】
しかし、上記従来のバスダクトのハウジング内は、水密性はなく、ハウジング内に浸水した場合には、ハウジングと絶縁導体との間の空間内あるいは絶縁導体同士の間の空間内を水が行き来できる構造となっており、複数のバスダクトを連結してバスダクトシステムを構築した場合に、一旦いずれかのバスダクトに浸水してしまうと、侵入した水がハウジングと絶縁導体との間の空間あるいは絶縁導体同士の間の空間を伝わって、隣接したバスダクトに伝播してゆき、一箇所のバスダクトの浸水にも拘わらず、多数のバスダクトを交換しなければならないという問題があった。
【０００４】
そこで、本発明の目的は、バスダクトシステムを構成するいずれかのバスダクトのハウジング内に万が一浸水してしまった場合でも、当該バスダクトのみの交換で済み、メンテナンスが容易なバスダクトを提供することにある。
【課題を解決するための手段】
【０００５】
上述した問題点を解決するために発明者は鋭意研究を重ねた。その結果、複数の帯状の絶縁導体と、絶縁導体を水密に収納するハウジングとの間に形成されるハウジング内の空間を、複数の分離部材によって、複数個の空間に水密に分離すると、１つのバスダクトに浸水が起きてもバスダクトの特定の部位に浸水を制限することができ、複数のバスダクトを組み立てて形成されるバスダクトシステムにおいては、浸水の生起したバスダクトのみを交換することによって、容易にメンテナンスが可能なバスダクトおよびバスダクトシステムが提供できることが判明した。この発明は上述した研究結果に基づき行われた。
【０００６】
この発明のバスダクトの第1の態様は、複数の帯状の絶縁導体と、
前記絶縁導体を水密に収納するハウジングと
前記ハウジング内の空間を複数個の空間に水密に分離する複数の分離部材とを備えたバスダクトである。
【０００７】
この発明のバスダクトの第２の態様は、前記分離部材は、前記ハウジングと前記絶縁導体との間に形成される空間、および、前記複数の絶縁導体の相互の間に形成される空間を、複数の空間に分離するバスダクトである。
【０００８】
この発明のバスダクトの第３の態様は、前記絶縁導体は、電気導体と、
前記電気導体の周面に設けられ、他の前記電気導体と電気的に分離するための絶縁体と、
を備えたことを特徴とするバスダクトである。
【０００９】
この発明のバスダクトの第４の態様は、前記分離部材は、タール、パテ、吸水性不織布、または、常温硬化樹脂によって形成されていることを特徴とするバスダクトである。
【００１０】
この発明のバスダクトの第５の態様は、前記分離部材が等間隔で配置されているバスダクトである。
【００１１】
この発明のバスダクトの第６の態様は、前記分離部材が不等間隔で配置されているバスダクトである。
【００１２】
この発明のバスダクトの第７の態様は、前記分離部材が同一部材からなっているバスダクトである。
【００１３】
この発明のバスダクトの第８の態様は、前記分離部材が異なる種類の材料からなる部材または寸法の異なる同一材料の部材からなっているバスダクトである。
【００１４】
この発明のバスダクトシステムの第１の態様は、複数の帯状の絶縁導体と、
前記絶縁導体を水密に収納するハウジングと
前記ハウジング内の空間を複数個の空間に水密に分離する複数の分離部材とを備えたバスダクトを複数個接続配置したバスダクトシステムである。
【００１５】
この発明のバスダクトシステムの第２の態様は、前記バスダクトが曲がり部を備えたバスダクトおよび曲がり部を備えていないストレートバスダクトの組み合わせによって形成されているバスダクトシステムである。
【発明の効果】
【００１６】
この発明のバスダクトによれば、分離部材は、ハウジングと絶縁導体との間に形成される空間あるいは一の絶縁導体と他の絶縁導体との間に形成される空間を複数の空間に分離するので、分離部材により分離された複数の空間のいずれかに浸水したとしても、複数の空間のうち他の空間に水が侵入することはなく、複数のバスダクトでバスダクトシステムを構築した場合であっても、浸水したバスダクト以外の他のバスダクトに影響をあたえることがない。
【発明を実施するための最良の形態】
【００１７】
次に図面を参照して本発明の好適な実施の形態について説明する。
【００１８】
図１は、バスダクトの平面図である。
【００１９】
図２は、図１のＡ−Ａ断面矢視図である。
【００２０】
この発明のバスダクトの第1の態様は、複数の帯状の絶縁導体と、絶縁導体を水密に収納するハウジングと、ハウジング内の空間を複数個の空間に水密に分離する複数の分離部材とを備えたバスダクトである。上述した分離部材は、ハウジングと絶縁導体との間に形成される空間、および、複数の絶縁導体の相互の間に形成される空間を、複数の空間に分離するバスダクトである。上述した絶縁導体は、電気導体と、電気導体の周面に設けられ、他の電気導体と電気的に分離するための絶縁体とを備えている。
【００２１】
バスダクト１０は、大別すると、ハウジング１１と、ハウジング１１内に収納された複数（図２では、３つ）の絶縁導体１２Ａ〜１２Ｃと、ハウジング１１と絶縁導体１２Ａ〜１２Ｃとの間に形成される空間あるいは一つの絶縁導体（例えば、絶縁導体１２Ａ）と他の絶縁導体（絶縁導体１２Ｂ）との間に形成される空間を複数の空間に分離する複数の分離部材１３と、他のバスダクトを電気的に接続するための接続部１４Ａ、１４Ｂと、を備えている。
【００２２】
図１において、説明の容易化のため、分離部材１３を破線で示しているが、実際には、分離部材１３は、ハウジング１１内にハウジング１１に密着した状態で収納されている。
【００２３】
ここで、ハウジング１１は、絶縁導体１２Ａ〜１２Ｃを収納する凹部１５と、凹部１５の開口端の両側に設けられたフランジ１６とを備える一対のハウジング片１７Ａ、１７Ｂを対向させ、互いのフランジ１６を接合させ結合部材１８で結合し、絶縁導体１２Ａ〜１２Ｃを収納保持する。
【００２４】
絶縁導体１２Ａ〜１２Ｃは、同一構成を有しており、電気導体２１と、この電気導体２１の周面に設けられ、他の電気導体２１と電気的に分離するための絶縁体２２と、を備えている。このため、例えば、複数系統の電力あるいは電気信号を供給することができる。
【００２５】
分離部材１３としては、水密性あるいは吸水性を有する材料が用いられており、例えば、タール、パテ、吸水性不織布あるいは常温硬化樹脂等を用いることができる。
【００２６】
図３は、図２のＢ−Ｂ断端面矢視図である。
【００２７】
図３に示すように、各分離部材１３は、絶縁導体の長手方向に対して所定の幅で各絶縁導体１２Ａ〜１２Ｃの外周全体にわたって設けられ、また、絶縁導体の長手方向に所定の間隔をあけて複数箇所（図３では５箇所）設けられており、各絶縁導体１２Ａ〜１２Ｃを束ねてハウジング１１内に収納したときに、ハウジング１１と絶縁導体１２Ａ〜１２Ｃとの間に形成される空間、例えば、ハウジング片１７Ａと絶縁導体１２Ａとの間に形成される空間２５を複数の空間２５Ａ〜２５Ｆに分離している。なお、各分離部材１３を設ける間隔は、等間隔に設けても不等間隔に設けてもよい。
【００２８】
従って、例えば、空間２５Ｂに浸水したとしても、侵入した水が、隣接する空間２５Ａあるいは空間２５Ｃに侵入するのを防止し、あるいは、抑制することができる。
【００２９】
また分離部材１３は、一つの絶縁導体と他の絶縁導体との間に形成される空間、例えば、絶縁導体１２Ｂと絶縁導体１２Ｃとの間に形成される空間２６を複数の空間２６Ａ〜２６Ｆに分離している。
【００３０】
従って、例えば、空間２６Ｃに浸水したとしても、侵入した水が、隣接する空間２６Ｂあるいは空間２６Ｄに侵入するのを防止し、あるいは、抑制することができる。
【００３１】
これらの結果、いずれかの空間２５Ａ〜２５Ｆ、２６Ａ〜２６Ｆに侵入した水の影響が隣接して配置された他のバスダクトに侵入するのを防止、あるいは、抑制することができる。
【００３２】
図４は、バスダクトシステムの説明図である。
この発明のバスダクトシステムの１つの態様は、複数の帯状の絶縁導体と、絶縁導体を水密に収納するハウジングと、ハウジング内の空間を複数個の空間に水密に分離する複数の分離部材とを備えたバスダクトを、複数個接続配置したバスダクトシステムである。バスダクトが曲がり部を備えたバスダクトおよび曲がり部を備えていないストレートバスダクトの組み合わせによって形成されている。
【００３３】
図４に示すように、バスダクトシステム３０は、上述した構造を備えたバスダクト１０と同様の構成を有する１２個のバスダクト３１Ａ〜３１Ｌを備えている。
【００３４】
なお、両端部に位置するバスダクト３１Ａおよびバスダクト３１Ｌは外部の配線を接続することが可能な接続端子が設けられたターミナルバスダクトである。
【００３５】
また、バスダクト３１Ｂ、３１Ｅ、３１Ｆ、３１Ｉ、３１Ｋは、曲がり部を備えていないストレート型バスダクトであり、バスダクト３１Ｄ、３１Ｇ、３１Ｈ、３１Ｊは、曲がり部を備えたＬ字型バスダクトである。
【００３６】
上記構成のバスダクトシステム３０において、例えば、バスダクト３１Ｅにおいて上述した分離部材により分離された複数の空間のうち、空間３５に浸水した場合には、侵入した水は、空間３５内に留まり、隣接する空間３６，３７に及ぶことはない。
【００３７】
この結果、バスダクトシステム３０全体としては、浸水したバスダクト３１Ｅのみを交換すれば、容易に復旧させることが可能となり、メンテナンスの手間を大きく削減することができる。
【００３８】
すなわち、一部分のエリア（分離部材で分離された空間）への浸水を他のエリアへ伝播させないことにより、一部分の浸水によって全てのユニット（バスダクト）が使用できなくなるのを防止することができ、復旧のためのメンテナンスの手間を大きく削減できる。
【００３９】
以上で説明したバスダクトの構成は一例であり、これに限定されるものではなく、複数の絶縁導体（電気導体＋絶縁体）と、この絶縁導体を収納するハウジングとを備え、ハウジングと絶縁導体との間に空間（あるいはすき間）が形成され、あるいは一つの絶縁導体と他の絶縁導体との間に空間（あるいはすき間）が形成されてしまうものであれば同様に適用が可能である。すなわち、これらの空間は人為的に設けられたものあるいは製造上発生してしまったものである場合でもかまわない。
【産業上の利用可能性】
【００４０】
この発明によると、それぞれが分離部材で複数個の空間に分離されたバスダクトを使用するので、浸水した部分のバスダクトを交換するだけで、容易に復旧可能なバスダクトシステムを提供することができる。
【図面の簡単な説明】
【００４１】
【図１】バスダクトの平面図である。
【図２】図１のＡ−Ａ断面矢視図である。
【図３】図２のＢ−Ｂ断端面矢視図である。
【図４】バスダクトシステムの説明図である。
【符号の説明】
【００４２】
１０  バスダクト
１１  ハウジング
１２Ａ〜１２Ｃ  絶縁導体
１３  分離部材
１４Ａ、１４Ｂ  接続部
２１  電気導体
２２  絶縁体
２５、２５Ａ〜２５Ｆ  空間
２６、２６Ａ〜２６Ｆ  空間
【図１】
0004845011.tif 000002
【図２】
0004845011.tif 000003
【図３】
0004845011.tif 000004
【図４】
0004845011.tif 000005